(57)【要約】  【課題】コラムの出し入れ時および自動販売機の輸送時に仕切り板の前部に構成されているガスケットの軟質部がコラムの端面に接触しない構成とし、内扉とのシール不良を防止することができる自動販売機を提供する。  【解決手段】ガスケット１６の軟質樹脂材料部の断面形状を中空形状とした軟質中空部１６´に圧縮方向に対し垂直となる面１８を形成することで、圧縮時に仕切り板の幅寸法より大きくならないよう寸法を確保することが出来るため、コラムの出し入れ時および自動販売機の輸送時にコラムの端面と接触を防止することができる。この結果、内扉とのシール不良を防止することができるため、庫内の冷却及び加温状態の向上を図ることができ省エネの自動販売機を提供することができる。【選択図】図３
2009223741.tif 000002
【特許請求の範囲】
【請求項１】
自動販売機本体の前面開口部を仕切る仕切り板を備え、前記仕切り板の前面部にガスケットを装着して、前面開口部側の断熱内扉間の隙間を閉塞する自販機において、前記ガスケットの軟質部の中空内部に圧縮方向に対し垂直となる面を形成したことを特徴とする自動販売機。
【発明の詳細な説明】
【技術分野】
【０００１】
本発明は商品収納装置に収納された商品を冷却または加温して商品を販売するようにした自動販売機に関し、特に庫内を仕切っている断熱壁の仕切り板に関するものである。
【背景技術】
【０００２】
従来、この種の自動販売機としては、例えば、仕切り板の構造としては前枠部が断面Ｌ字上の鋼板部材で形成されている特許文献１のものがある。
【０００３】
図４は特許文献１に記載された従来の自動販売機の仕切り板の分解斜視図を示すものである。図４において、仕切り板１は、硬質ウレタンフォームの仕切り板本体２、この仕切り板本体２を補強するための上枠３、下枠４、後枠５、前枠６、前枠６に取り付けたガスケット７から構成されている。
【０００４】
また、図５（ａ）は従来の自動販売機の圧縮前の仕切り板の平面断面図、図５（ｂ）は従来の自動販売機の圧縮後の仕切り板の平面断面図を示す。ガスケット７の先端部には軟質部７’を有している。
【０００５】
以上のように構成された自動販売機の断熱壁の仕切り板について、以下その動作を説明する。
【０００６】
図４に示すように、仕切り板本体２の上枠３、下枠４、後枠５で覆われた断熱壁の仕切り板は硬質ウレタンフォームで形成されている庫内に取り付けられており、商品収納ラックは仕切り板で仕切られた各庫内部屋に装着されている。かかる構成で、商品収納ラックに収納した商品を庫内に備えた冷却器で保冷する、ないしは加熱ヒータで加熱してコールド商品、ないしはホット商品として販売することは周知の通りである。コールド商品及びホット商品の温度を保持する為に、各庫内部屋は加温室と冷却室に仕切られており、その仕切り板本体として硬質ウレタンフォームまたは真空断熱材が使われている。また、前枠６に取り付けられたガスケット７によって、断熱扉が閉じた状態での、断熱扉との隙間が塞がれており、加温室から冷却室への熱の侵入を抑えている。
【特許文献１】特開２００６−２８５７３０号公報
【発明の開示】
【発明が解決しようとする課題】
【０００７】
しかしながら、上記従来の構成では仕切り板１の両側に組み込まれるコラムの出し入れ時にガスケット７の軟質部を引っ掛けて庫内内部に引き込む、または、自動販売機の輸送時にコラムが前後に移動したときにもガスケット７の軟質部を引っ掛けて庫内内部に引き込むという問題があった。これにより、仕切り板１を挟んだ二つの庫内を冷却と加温にした場合、本来、内扉の庫内側表面と仕切り板１との間に隙間が発生してしまうもしくは圧縮寸法が満足できないという懸念があった。図５（ａ）および（ｂ）に示すようにガスケット７の軟質部が矢印方向に圧縮されるとき、左右に膨らむことにより、仕切り板１の幅寸法よりも大きくなってしまい、コラムの端面に接触することになる。
【０００８】
本発明は、上記従来の発明を解決するもので、コラムの出し入れ時および自動販売機の輸送時に仕切り板１の前部に構成されているガスケット７の軟質部がコラムの端面に接触しない構成とし、内扉とのシール性を向上する自動販売機を提供することを目的とするものである。
【課題を解決するための手段】
【０００９】
上記従来の課題を解決するために、本発明の自動販売機は、自動販売機本体の前面開口部を仕切る仕切り板を備え、前記仕切り板の前面部にガスケットを装着して、前面開口部側の断熱内扉間の隙間を閉塞する自販機において、前記ガスケットの軟質部の中空内部に圧縮方向に対し垂直となる面を形成したものである。
【００１０】
これにより、ガスケット圧縮時に仕切り板の幅寸法より大きくならないよう寸法を確保することが出来るため、コラムの出し入れ時および自動販売機の輸送時にコラムの端面と接触を防止することができる。この結果、内扉とのシール不良を防止することができるため、庫内の冷却及び加温状態の向上を図ることができる。
【発明の効果】
【００１１】
本発明の自動販売機は、内扉と仕切り板とのシール不良を防止することにより、仕切り板を挟んだ二つの庫内を冷却と加温にして温度差がある場合においても、内扉と仕切り板とのシールが確実に行われ、熱リークを防止し、消費電力の低減すなわち省エネを行うことができる。
【発明を実施するための最良の形態】
【００１２】
請求項１に記載の発明は、自動販売機本体の前面開口部を仕切る仕切り板を備え、前記仕切り板の前面部にガスケットを装着して、前面開口部側の断熱内扉間の隙間を閉塞する自販機において、前記ガスケットの軟質部の中空内部に圧縮方向に対し垂直となる面を形成したものであり、コラムの出し入れ時および自動販売機の輸送時にコラムの端面との接触を防止することができ、内扉と仕切り板とのシール性を高めることができる。
【００１３】
以下、本発明の実施の形態について、図面を参照しながら説明する。なお、この実施の形態によってこの発明が限定されるものではない。
【００１４】
（実施の形態１）
図１は、本発明の実施の形態１による自動販売機のメインドアを開いた状態の斜視図である。図１において断熱構造のキャビネット８で、このキャビネット８は前面が開放する箱状をなし、このキャビネット８の前にメインドア９と内扉１０が取り付けられている。またメインドア９の上部にはローディング扉１１が取り付けられている。一方キャビネット８内には仕切り板１が二枚互いに対向して設けられ、これら仕切り板１によりキャビネット８内が仕切り板１の相互間の加温室１２と、一方の仕切り板１の左側の冷却室１３と他方の仕切り板１の右側の冷却室１４との三室に仕切られている。そしてこれら加温室１２と冷却室１３，１４内にそれぞれ例えばサーペンタイン形のコラム１５が設けられ、これらコラム１５内に所定の商品が収納されている。加温室１２のコラム内に収納された各商品は加温手段（図示せず）により保温され、冷却室１３，１４のコラム内に収納された各商品は冷却手段により保冷される。
【００１５】
図２には本実施の形態による自動販売機の仕切り板１の構造を示してあり、（ａ）は仕切り板の分解斜視図、（ｂ）は仕切り板の平面断面図である。この仕切り板１は前面を前部が軟質の樹脂材料、後部が硬質の樹脂材料で構成されたガスケット１６で覆われている。図２（ｂ）に示すように、軟質の樹脂材料で形成されている軟質中空部１６´は中空内部に圧縮方向（矢印方向）に対して垂直方向に面１８が中空外形寸法と同寸法で形成されている。ガスケット１６は粘着テープ１７によって仕切り板本体２に固定されている。仕切り板本体２は硬質プラスチックフォームのスラブ材または硬質プラスチックフォームを注入して発泡形成した発泡樹脂または真空断熱材である。仕切り板本体２の周囲を覆っている上枠３、下枠４、後枠５は軟質のフォームである。
【００１６】
以上のように構成された自動販売機の仕切り板について、以下その動作を説明する。
【００１７】
このように構成された自動販売機は、開閉自在の内扉１０で塞がれ、その内部に設けた冷却装置（図示せず）と加温装置（図示せず）により、冷却室１３，１４と加温室１２は所定の温度で保存することができる。仕切り板前面部の断熱およびシール構造に関しては仕切り板本体に設けた硬質のガスケット１６が仕切り板前面の熱伝導を抑え、硬質のガスケット前面部に形成された軟質のガスケット１６´が弾性変形することにより内扉１０およびローディング扉１１との隙間をシールすることで断熱している。図３の本実施の形態における圧縮時の自動販売機の仕切り板の平面断面図に示すように、ガスケット１６の軟質中空部１６´が内扉１０によって圧縮（矢印方向）されるとき、軟質中空部１６´の内部に圧縮方向と垂直方向に面１８を成形することにより、成形された面１８の幅寸法（＝Ａ）よりも中空部の外形寸法が大きくならず、圧縮方向（矢印方向）に対して伸縮する。これより、仕切り板１の幅寸法（＝Ｂ）以下を確保することができる。すなわちＡ＜Ｂとしている。なお、仕切り板１の上部、下部、後部のシール構造に関しては、仕切り板本体２の周囲を覆っている軟質フォームがキャビネット８の庫内の上部、下部、後部に設置されている硬質プラスチックフォームのスラブ材を圧縮することにより、シールを行っている。
【００１８】
以上のように、本実施の形態においては、仕切り板１で仕切られたキャビネット８内の加温室１２と冷却室１３，１４との間での熱ロスを抑えて、有効な断熱効果を維持することができる。また、中空内部に圧縮方向に対し垂直となる面を形成し、圧縮時に仕切り板１の幅寸法より大きくならないよう寸法を確保することにより、コラム１５の出し入れ時および自動販売機の輸送時にコラム１５の端面と接触を防止することができ、内扉１０とのシール不良を防止することができる。また、本形態は仕切り板１の幅寸法が小さくなっても効果を発揮することができるため、今後庫内部屋の収納スペースを無駄なく利用する際においても有効である。
【産業上の利用可能性】
【００１９】
以上のように本発明にかかる自動販売機は、仕切り板を挟んだ二つの庫内を冷却と加温にして温度差がある場合においても、前枠部品を通した熱伝導を防止し、省エネルギー化を図ることができるので、自動販売機に限らず、隣接する二室を備えた冷却、加温機器にも適用できる。
【図面の簡単な説明】
【００２０】
【図１】本発明の実施の形態１における自動販売機のメインドアを開いた状態の斜視図
【図２】（ａ）本発明の実施の形態１における自動販売機の仕切り板の分解斜視図（ｂ）本発明の実施の形態１における圧縮前の自動販売機の仕切り板の平面断面図
【図３】本発明の実施の形態１における圧縮時の自動販売機の仕切り板の平面断面図
【図４】従来の自動販売機の仕切り板の分解斜視図
【図５】（ａ）従来の自動販売機の圧縮前の仕切り板の平面断面図（ｂ）従来の自動販売機の圧縮後の仕切り板の平面断面図
【符号の説明】
【００２１】
１    仕切り板
１６  ガスケット
１６´  軟質中空部
１８  面
【図１】
2009223741.tif 000003
【図２】
2009223741.tif 000004
【図３】
2009223741.tif 000005
【図４】
2009223741.tif 000006
【図５】
2009223741.tif 000007